(57)【要約】【課題】ストラップの着脱が容易であり、筐体の防水に可及的に影響を与えないようなストラップ取り付け構造、端末装置およびスラトップ取り付け方法が求められている。【解決手段】ストラップ取り付け構造は、ストラップの所定部を格納する格納部と、前記格納部内に形成され前記所定部を前記格納部に保持又は固定する固定部と、を含む、筐体と、前記ストラップの紐部が貫通する切り欠き部を含み、前記格納部を覆うよう又は該格納部で前記筐体と嵌合するよう、前記筐体に着脱可能に取り付けられる一又は複数のカバー部材と、を備えている。【選択図】図１
2014222726.tif 000002
【特許請求の範囲】
【請求項１】
ストラップの所定部を格納する格納部と、前記格納部内に形成され前記所定部を前記格納部に保持又は固定する固定部と、を含む、筐体と、
前記ストラップの紐部が貫通する切り欠き部を含み、前記格納部を覆うよう又は該格納部で前記筐体と嵌合するよう、前記筐体に着脱可能に取り付けられる一又は複数のカバー部材と、
を備える、ストラップ取り付け構造。
【請求項２】
前記格納部は、前記筐体の外面上に形成された凹部である請求項１記載のストラップ取り付け構造。
【請求項３】
前記筐体は、部品組込部と、前記カバー部材の裏面に向かって突出して前記格納部と前記部品組込部を区画する凸部と、を含む、請求項１又は２記載のストラップ取り付け構造。
【請求項４】
前記固定部は、前記所定部を、挟持する、押さえる、圧縮する、又は、該所定部が嵌合するアンダーカット構造である請求項１〜３のいずれか一記載のストラップ取り付け構造。
【請求項５】
前記固定部は、前記所定部が係合するフックである請求項１〜３のいずれか一記載のストラップ取り付け構造。
【請求項６】
前記格納部内に設けられ、一側で前記カバー部材と係合すると共に、他側で前記フックと対向して前記フックに係合した前記所定部を抜け止めするロックノブを、備える請求項５記載のストラップ取り付け構造。
【請求項７】
前記所定部が前記紐部に対して曲げられた状態で前記格納部内に格納される、請求項１〜６のいずれか一記載のストラップ取り付け構造。
【請求項８】
前記格納部は、前記紐部の前記切り欠き部への挿入方向に対して所定角度傾斜した傾斜面を有する請求項７記載のストラップ取り付け構造。
【請求項９】
請求項１〜８のいずれか一記載のストラップ取り付け構造を要する端末装置。
【請求項１０】
一又は複数のカバー部材を開いて、ストラップの所定部を筐体上に形成された格納部に格納する工程と、
前記所定部を、前記格納部内に設けられた固定部に保持又は固定する工程と、
前記ストラップの紐部を前記一又は複数のカバー部材に形成された切り欠き部を通す工程と、
前記カバー部材を閉じて前記筐体に着脱可能に取り付ける工程と、
を含む、ストラップ取り付け方法。
【発明の詳細な説明】
【技術分野】
【０００１】
本発明は、ストラップ取り付け構造、端末装置およびスラトップ取り付け方法に関する。
【背景技術】
【０００２】
特許文献１は、携帯機器の外面に、ストラップを通す小さな孔を設けたストラップ取り付け構造を開示している。図６は、関連する第１の技術の説明図である。図６を参照すると、筐体６１に、ストラップ６２を通すストラップ孔６３が形成されている。
【０００３】
特許文献１は、また、筐体にストラップ先端のリングを嵌合させる孔を開けた携帯機器を開示している。図７は、関連する第２の技術の説明図である。図７を参照すると、筐体７１には、Ｕ字溝７２が穿たれている。ストラップ７３を筐体７１に固定する際には、ストラップ７３の先端のリング７４をＵ字溝７２に落とし込み、バッテリカバー７５を閉める。
【先行技術文献】
【特許文献】
【０００４】
【特許文献１】特開２００８−０２８９１３号公報（図１３、図２および図５参照）
【発明の概要】
【発明が解決しようとする課題】
【０００５】
以下の分析は、本発明によって与えられたものである。
【０００６】
図６に示した関連する第１の技術によれば、細い紐を、小さな孔に通すという手間がかかる。
【０００７】
図７に示した関連する第２の技術によれば、筐体に孔（Ｕ字溝）を穿つ必要が発生し、孔を形成するための金型が必要となる。また、防水機能との両立が問題となり、防水信頼性の確保に、別の難しい手段が必要となると考えられる。
【０００８】
かくして、ストラップの着脱が容易であり、筐体の防水に可及的に影響を与えないようなストラップ取り付け構造、端末装置およびスラトップ取り付け方法が求められている。
【課題を解決するための手段】
【０００９】
第１の視点において、ストラップ取り付け構造は、ストラップの所定部を格納する格納部と、前記格納部内に形成され前記所定部を前記格納部に保持又は固定する固定部と、を含む、筐体と、前記ストラップの紐部が貫通する切り欠き部を含み、前記格納部を覆うよう又は該格納部で前記筐体と嵌合するよう、前記筐体に着脱可能に取り付けられる一又は複数のカバー部材と、を備えている。
【００１０】
第２の視点において、端末装置は、第１の視点のストラップ取り付け構造を有している。
【００１１】
第３の視点において、ストラップ取り付け方法は、一又は複数のカバー部材を開いて、ストラップの所定部を筐体上に形成された格納部に格納する工程と、前記所定部を、前記格納部内に設けられた固定部に保持又は固定する工程と、前記ストラップの紐部を前記一又は複数のカバー部材に形成された切り欠き部を通す工程と、前記カバー部材を閉じて前記筐体に着脱可能に取り付ける工程と、を含んでいる。
【発明の効果】
【００１２】
ストラップの着脱が容易であり、筐体の防水に可及的に影響を与えないようなストラップ取り付け構造、端末装置およびスラトップ取り付け方法が提供される。
【図面の簡単な説明】
【００１３】
【図１】（Ａ）および（Ｂ）は、実施形態１に係る端末装置の外観図である。（Ａ）はカバー部材を閉じた状態、（Ｂ）はカバー部材を開いた状態を示している。
【図２】（Ａ）は、図１（Ｂ）のII−II断面図であり、（Ｂ）は（Ａ）からストラップを取りアンダーカット構造を示す断面図である。
【図３】実施形態１に係るストラップ取り付け方法を説明するフローチャートである。
【図４】（Ａ）および（Ｂ）は、実施形態２に係る端末装置の外観図である。
【図５】実施形態２の端末装置が備えるストラップ取り付け構造の要部断面図である。
【図６】関連する第１の技術の説明図である。
【図７】関連する第２の技術の説明図である。
【発明を実施するための形態】
【００１４】
好ましくは、前記格納部は、前記筐体の外面上に形成された凹部である。
【００１５】
好ましくは、前記筐体は、部品組込部と、前記カバー部材の裏面に向かって突出して前記格納部と前記部品組込部を区画する凸部と、を含む。
【００１６】
好ましくは、前記固定部は、前記所定部を、挟持する、押さえる、圧縮する、又は、該所定部が嵌合するアンダーカット構造である。
【００１７】
好ましくは、前記固定部は、前記所定部が係合するフックである。
【００１８】
好ましくは、前記格納部内に設けられ、一側で前記カバー部材と係合すると共に、他側で前記フックと対向して前記フックに係合した前記所定部を抜け止めするロックノブを、備える。
【００１９】
好ましくは、前記所定部は、前記紐部に対して曲げられた状態で前記格納部内に格納される。
【００２０】
好ましくは、前記格納部は、前記紐部の前記切り欠き部への挿入方向に対して所定角度傾斜した傾斜面を有する。
【００２１】
好ましくは、一枚の前記カバー部材が前記格納部を覆う。
【００２２】
好ましくは、複数の前記カバー部材のうち、第１のカバー部材の端部が前記格納部内に設けけられたロックノブと嵌合し、第２のカバー部材が切り欠き部を含み、前記格納部の一部を覆う。
【００２３】
本発明の一実施形態の概要について、図面を参照して説明する。なお、この概要に付記した図面参照符号は、理解を助けるための一例として各要素に便宜上付記したものであり、本発明を図示の態様に限定することを意図するものではない。
【００２４】
図１（Ｂ）を参照すると、ストラップ取り付け構造を有する端末装置１１は、筐体１とカバー部材２を備えている。筐体１は、ストラップ３の所定部（嵌合部材又は先端部）３ａを格納する格納部５と、格納部５内に形成され所定部３ａを格納部５に保持又は固定する固定部６と、含んでいる。カバー部材２は、ストラップ３の紐部３ｂが貫通する切り欠き部２ａを含んでいる。カバー部材２は、格納部５を覆うように筐体１に着脱可能に取り付けられる。
【００２５】
上記ストラップ取り付け構造を有する端末装置１１は、下記の効果を奏する。
（１）筐体１に格納部５と固定部６を形成すれば、ストラップ取り付けのための孔を形成しなくてもよいため、防水信頼性に可及的に影響を与えない形で、ストラップ取り付け構造を設定できる。
（２）ユーザーは、ストラップ３の所定部３ａを固定部６に挿入することによって、ストラップ取り付けができるため、ストラップ取り付け作業が容易である。
（３）筐体１にストラップ取り付けのための孔を形成しなくてもよいため、筐体１の製造が容易である。
（４）筐体１にストラップ取り付けのための孔を形成しなくてもよいため、筐体１を薄く形成でき、内蔵部品の実装容量を増大することができる。
（５）かくして、ストラップ３の着脱が容易であり、筐体１の防水に可及的に影響を与えないようなストラップ取り付け構造、端末装置１１およびスラトップ取り付け方法が提供される。
【００２６】
好ましくは、固定部６は、ストラップ３の所定部３ａを押さえる、又は、フックする構造である。
【００２７】
好ましくは、所定部３ａは、紐部３ｂが通る切り欠き部２ａよりも大きな形状を有する。
【００２８】
ストラップ取り付け構造は、携帯端末などの携帯電子機器全般に好適に適用され、例えば、携帯電話、スマートフォン、ゲーム機、タブレットＰＣ(Personal Computer)、ノートＰＣ、ＰＤＡ(Personal Data Assistants：携帯情報端末)、デジタルカメラ等に好適に適用される。
【００２９】
続いて、本発明の一実施形態について図面を参照して詳細に説明する。なお、以降の記述において、多くの具体的事項は、説明のため、本発明の理解を助けるためになされたものである。
【実施形態１】
【００３０】
実施形態１では、格納部は、筐体の外面上に形成された凹部である。傾斜面は、凹部の底面である。固定部は、凹部内に形成されたアンダーカット構造である。カバー部材はバッテリカバーであって、格納部を覆う。ストラップの所定部は、ストラップの紐部に通された嵌合部材、例えば、リングである。部品組込部は、バッテリ組込部である。筐体は、好ましくは防水筐体である。筐体は、例えば、バッテリカバーが嵌合する背面筐体であり、凹部は背面筐体凹みである。
【００３１】
実施形態１のストラップ取り付け構造では、筐体外面にアンダーカット構造を追加し、ストラップの紐部（細紐）に通した嵌合部材を装填する。その後、バッテリカバーを筐体に嵌合することによって、嵌合部材の浮き方向動作が抑制され、ストラップ先端の嵌合部材はバッテリカバーと筐体の間で十分な取り付け強度をもって固定される。これによって、組立後にストラップが引っ張られても、アンダーカット構造により、ストラップの脱落や、筐体又はバッテリカバーの破損が可及的に防止される。
【００３２】
図１（Ａ）および（Ｂ）は、実施形態１に係る端末装置の外観図であって、図１（Ａ）はカバー部材を閉じた状態、（Ｂ）はカバー部材を開いた状態を示している。図２（Ａ）は、図１（Ｂ）のII−II断面図であり、（Ｂ）は（Ａ）からストラップを取り去ってアンダーカット構造を示す断面図である。
【００３３】
図１（Ａ）および（Ｂ）並び図２（Ａ）および（Ｂ）を参照すると、実施形態１に係るストラップ取り付け構造を有する端末装置１１は、ストラップ３の紐部３ｂ先端に取り付けられたリング状の嵌合部材（所定部）３ａを格納する凹部（格納部）５と、凹部５内に形成され嵌合部材３ａを凹部５に保持又は固定するアンダーカット構造（固定部）６と、を含む、筐体１と、ストラップ３の紐部３ｂが貫通する切り欠き部２ａを含み、凹部５を覆うように筐体１に着脱可能に取り付けられるバッテリカバー（カバー部材）２と、を備えている。
【００３４】
筐体１の外面上に形成された凹部５は、単純形状の凹みではなく、凹部５の一部には、アンダーカット構造６が設けられ、嵌合部材３ａの容易な脱落が防止されている。アンダーカット構造６は、例えば、嵌合部材３ａを挟持ないし押さえることができる対向側面、段部、縦溝、横溝、凹み又は孔などである。
【００３５】
筐体１はその内側に、バッテリ組込部（部品組込部）４を有している。さらに、筐体１は、バッテリカバー２の裏面に向かって突出して、凹部５と部品組込部４を区画する凸部１ａを含んでいる。
【００３６】
凹部５の底面は、入口側（切り欠き部２ａ側）が低く奥側が高い傾斜面５ａである。
傾斜面５ａは、紐部３ｂの切り欠き部２ａへの挿入方向に対して所定角度傾斜している。傾斜面５ａ上に、アンダーカット構造（固定部）６が形成されている。嵌合部材３ａは、紐部３ｂに対して曲げられた状態、すなわち、抜け難い状態で凹部５内に格納され、アンダーカット構造６に保持される。
【００３７】
実施形態１のストラップ取り付け構造による効果をさらに例示する。
（１）筐体１に凹部５とアンダーカット構造６を形成すれば、ストラップ取り付けのための孔を形成しなくてもよいため、防水信頼性に可及的に影響を与えない形で、ストラップ取り付け構造を設定できる。
（２）ストラップ３の取り付けには、その先端の嵌合部材３ａを挿入すればよいため、ユーザーのストラップ取り付け作業が容易である。
（３）筐体１には凹部５とアンダーカット構造６を加工すればよいため、筐体１の製造が容易である。
（４）筐体１にストラップ取り付けのための孔を形成しなくてもよいため、筐体１を薄く形成でき、内蔵部品の実装容量を増大することができる。
（５）かくして、ストラップ３の着脱が容易であり、筐体１の防水に可及的に影響を与えないようなストラップ取り付け構造、端末装置１１およびスラトップ取り付け方法が提供される。
なお、嵌合部材３ａに、強度を考慮した薄型のものを使用することによって、筐体１内部の部品実装容量減少を抑制することができる。
【００３８】
また、傾斜面５ａによって、アンダーカット構造６の成形時、金型抜きが容易となり設計的な設置自由度が向上し、又、バッテリ組込部４の防水性も向上する。このようにして、防水機能に与える影響を最小限に抑制しながら、ストラップ取り付け構造が形成されている。
【００３９】
バッテリカバー２は、筐体１に嵌合可能な爪２ｂを有し、切り欠き部２ａは爪２ｂの配置面（図１（Ｂ）中では下端面）と異なる面（図１（Ｂ）中では左側面）に配置されている。すなわち、バッテリカバー２の固定ツメ嵌合方向とは別の面から、ストラップ３を出すことによって、バッテリカバー２と筐体１に対する嵌合強度を上げることができる。例えば、バッテリカバー２を筐体１に嵌合後、ストラップ３を背面側（図１（Ｂ）中では上側）に引っ張るとバッテリカバー２にはそれが外れる方向の力が印加される。このとき、バッテリカバー２は切り欠き部２ａが膨らむ形で変形する。この変形によって、爪２ｂは、筐体１へ引っ掛かる方向へ引き込まれる。この結果、バッテリカバー２の筐体１に対する嵌合強度が向上する。
【００４０】
以上説明したストラップ取り付け構造を用いたストラップ取り付け方法について説明する。図３は、実施形態１に係るストラップ取り付け方法を説明するフローチャートである。
【００４１】
図３を参照すると、実施形態１のストラップ取り付け方法は、バッテリカバー（カバー部材）２を開いて、ストラップ３の嵌合部材（所定部）３ａを筐体１上に形成された凹部（格納部）５に格納する工程Ｓ１と、嵌合部材３ａを、格納部５内に設けられたアンダーカット構造（固定部）６に保持又は固定する工程Ｓ２と、ストラップ３の紐部３ｂをバッテリカバー２に形成された切り欠き部２ａに通す工程Ｓ３と、バッテリカバー２を閉じて筐体１に着脱可能に取り付ける工程Ｓ４と、を含んでいる。
【００４２】
以上のようにして、ストラップ３を取り付けるために、筐体１に孔を穿たなくてもよくなり、防水信頼性に可及的に影響しない形で、ストラップ３の取り付けが実現される。
【００４３】
なお、嵌合部材３ａは、リング以外でもよく、例えば、市販のクリップ又はイーリング等である。
【００４４】
実施形態１等のストラップ構造は、携帯電話等の端末装置以外の製品についても、ストラップを用いる製品であれば適用可能である。
【００４５】
ストラップ３の取り出し口（格納部５の開口ないし切り欠き部２ａ）の位置は、バッテリカバー２の筐体１に対する嵌合方法に応じて設定することが好ましく、図示の形態に限定されるものではない。
【００４６】
ストラップを固定するカバーは、バッテリカバーに限定されるものではない。
【実施形態２】
【００４７】
実施形態２では、実施形態１との相違点について主として説明し、両者の共通点については実施形態１の記載を適宜参照することができるものとする。
【００４８】
実施形態２では、格納部は、筐体の外面上に形成された凹部である。固定部は、凹部内に形成されたフックである。カバー部材はバッテリカバー（第１のカバー部材）および化粧カバー（第２のカバー部材）である。ストラップの所定部は、ストラップ先端部（紐部の先端ないし延長部）である。部品組込部は、バッテリ組込部である。筐体は、好ましくは防水筐体である。筐体は、例えば、バッテリカバーが嵌合する背面筐体であり、凹部は背面筐体凹みである。ストラップ先端部は、バッテリカバーと嵌合するロックノブを利用して、さらに抜け止めされる。
【００４９】
図４（Ａ）および（Ｂ）は、実施形態２に係る端末装置の外観図であって、（Ａ）はカバー部材を閉じた状態、（Ｂ）はカバー部材を開いた状態を示している。図５は、図４（Ｂ）の要部断面図である。
【００５０】
図４（Ａ）および（Ｂ）並び図５を参照すると、実施形態２に係るストラップ取り付け構造を有する端末装置１１は、ストラップ３の先端部（所定部）３ａを格納する凹部（格納部）５と、凹部５内に形成され先端部３ａを保持又は固定するフック（固定部）６と、を含む、筐体１と、筐体１に着脱可能に取り付けられるカバー部材、すなわち、バッテリカバー（第１のカバー部材）２１および化粧カバー（第２のカバー部材）２２と、を備えている。
【００５１】
バッテリカバー（第１のカバー部材）２１の端部は、後述するロックノブ７と嵌合する。化粧カバー（第２のカバー部材）２２は、切り欠き部２ａを含むと共に、凹部５の一部を覆っている。
【００５２】
筐体１はその内側に、バッテリ組込部４を有している。さらに、筐体１は、バッテリカバー２１の裏面に向かって突出して、凹部５とバッテリ組込部４を区画する凸部１ａを含んでいる。
【００５３】
凹部５の内壁上には、ストラップ３の先端部３ａが係合可能なフック（固定部）６が形成されている。フック６は、ストラップ３の先端部３ａが紐部３ｂに対して曲げられた状態で凹部５内に格納されるよう、形成されている。これによって、ストラップ３は抜け難くされている。
【００５４】
さらに、凹部５内には、一側でバッテリカバー２１と係合すると共に、他側でフック６と対向してフック６に係合したストラップ３の先端部３ａを抜け止めするロックノブ７が設けられている。ロックノブ７は、弾性変形することが好ましく、弾性変形を助けるような形状を有することが好ましい。
【００５５】
バッテリカバー２１をロックさせるタイプの製品では、そのロックノブ７にストラップ３の抜け防止機能を付与することによって、ストラップ３の先端に実施形態１で説明したような嵌合部材を用いなくてもよくなる。
実施形態２のストラップ取り付け構造による効果をさらに例示する。
（１）筐体１に凹部５とフック６を形成すれば、ストラップ取り付けのための孔を形成しなくてもよいため、防水信頼性に可及的に影響を与えない形で、ストラップ取り付け構造を設定できる。
（２）ストラップ３の取り付けには、その先端部３ａを挿入してフック６に掛ければよいため、ユーザーのストラップ取り付け作業が容易である。
（３）筐体１には凹部５とフック６を加工すればよいため、筐体１の製造が容易である。
（４）筐体１にストラップ取り付けのための孔を形成しなくてもよいため、筐体１を薄く形成でき、内蔵部品の実装容量を増大することができる。
（５）かくして、ストラップ３の着脱が容易であり、筐体１の防水に可及的に影響を与えないようなストラップ取り付け構造、端末装置１１およびスラトップ取り付け方法が提供される。
【００５６】
以上、本発明の一実施形態等を説明したが、本発明は、上記した一実施形態等に限定されるものではなく、本発明の基本的技術的思想を逸脱しない範囲で、更なる変形、置換又は調整を加えることができる。
【００５７】
［付記１］
ストラップの所定部を格納する格納部と、前記格納部内に形成され前記所定部を前記格納部に保持又は固定する固定部と、含む、筐体と、
前記ストラップの紐部が貫通する切り欠き部を含み、前記格納部を覆うよう又は該格納部で前記筐体と嵌合するよう、前記筐体に着脱可能に取り付けられる一又は複数のカバー部材と、
を備える、ストラップ取り付け構造に用いられるストラップ。
［付記２］
前記ストラップの所定部は、前記紐部と同一の形状、又は、前記紐部に取り付けられた嵌合部材である付記１記載のストラップ。
［付記３］
前記紐部の先端には、該細紐が通る前記切り欠き部よりも大きな前記嵌合部材が取り付けられる付記２記載のストラップ。
［付記４］
ストラップの所定部を格納する格納部と、前記格納部内に形成され前記所定部を前記格納部に保持又は固定する固定部と、を含む、筐体と、
前記ストラップの紐部が貫通する切り欠き部を含み、前記格納部を覆うよう又は該格納部で前記筐体と嵌合するよう、前記筐体に着脱可能に取り付けられる一又は複数のカバー部材と、
を備える、ストラップ取り付け構造。
［付記５］
前記カバー部材は、前記筐体に嵌合可能な爪を有し、
前記切り欠き部は前記爪の配置面と異なる面に配置される、付記４記載のストラップ取り付け構造。
［付記６］
前記アンダーカット構造は、前記格納部内に形成された溝、側壁、傾斜面又は段部である付記４又は５記載のストラップ取り付け構造。
［付記７］
前記カバー部材は、前記格納部を覆う一枚のカバー部材である付記４〜６のいずれか一記載のストラップ取り付け構造。
［付記８］
前記カバー部材は、複数のカバー部材である付記４〜６のいずれか一記載のストラップ取り付け構造。
［付記９］
前記複数のカバー部材のうち、第１のカバー部材の端部は、前記格納部に設けられたロックノブと嵌合し、第２のカバー部材が前記切り欠き部を含むと共に前記格納部の一部を覆う付記８記載のストラップ取り付け構造。
［付記１０］
筐体の内側に形成された部品組込部と、
前記筐体の外面上で、前記部品組込部よりも外側に形成されてストラップの先端部を格納する格納部と、
前記筐体の外面上で前記部品組込部と前記格納部の間に形成された凸部と、
前記格納部内に形成され前記先端部を保持する固定部と、
前記格納部を覆いながら前記格納部外で又は前記格納部内で前記筐体と脱着可能に嵌合して前記先端部を抜け止めする一又は複数のカバー部材と、
を備える、ストラップ取り付け構造。
［付記１１］
付記４〜１０のいずれか一記載のストラップ取り付け構造を有する端末装置。
【００５８】
なお、上記の特許文献の開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。
【符号の説明】
【００５９】
１  筐体
１ａ  凸部
２  カバー部材、バッテリカバー
２ａ  切り欠き部
２ｂ  爪
３  ストラップ
３ａ  所定部、嵌合部材（リング）、先端部
３ｂ  紐部
４  部品組込部、バッテリ組込部
５  格納部、凹部（凹み）
５ａ  傾斜面
６  固定部、アンダーカット構造、フック
７  ロックノブ
１１  端末装置
２１  第１のカバー部材、バッテリカバー
２２  第２のカバー部材、化粧カバー
【図１】
2014222726.tif 000003
【図２】
2014222726.tif 000004
【図３】
2014222726.tif 000005
【図４】
2014222726.tif 000006
【図５】
2014222726.tif 000007
【図６】
2014222726.tif 000008
【図７】
2014222726.tif 000009